(57)【要約】      （修正有）【課題】  目的別に一体に構成された編地により、ボディラインとともに骨格の補正をも実現する骨格補正サポーターとして機能する矯正下着を提供する。【解決手段】帯状部１、山形部２、胸骨側部３及び骨格支持帯４以外の胴部本体を構成する主要部５に分かれて、異なる組織で編まれており、袖口と裾にゴム編様の縁取り６が形成されているものとする。主要部５の編組織Ｚが縦の伸び率が横の伸び率の２倍以上であり、帯状部１と山形部２の編組織Ｘが縦より横の伸び率が大であり、しかもこの横の伸び率は、主要部５の横の伸び率と実質的に同一であること、胸骨側部３及び骨格支持帯４の編組織Ｙが縦の伸び率より横の伸び率が大で、この横の伸び率は、主要部５、胸骨側部３及び骨格支持帯４の横の伸び率より大であること.【選択図】図１
2006037255.tif 000002
【特許請求の範囲】
【請求項１】
全体に縦横共に伸縮性に富んだ編地からなる下着であって、上衣本体の胴部本体が異なる編組織を組み合わせて一体に構成されており、胴部本体が
Ａ）前見頃の襟ぐりの下方に沿って、両脇まで横方向に広がる幅２．５〜６ｃｍの帯状部、
Ｂ）両脇下方に位置する幅７〜１０ｃｍで高さ９〜１３ｃｍの山形部、
Ｃ）前記帯状部の上方、前見頃の襟ぐりの両横に位置し、肩まで延びる胸骨側部、
Ｄ）後見頃両肩から前記山形部の上方に向けてクロス状に延びる幅２〜６ｃｍのテープ状の骨格支持帯、
Ｅ）前記帯状部、山形部、胸骨側部及骨格支持帯以外の胴部本体を構成する主要部５、
に分かれて、異なる組織で編まれており、かつ
Ｆ）裾にゴム編様の縁取りが形成されていること、及び
前記主要部の編組織が縦の伸び率が横の伸び率の２倍以上であり、
前記帯状部と山形部の編組織が縦より横の伸び率が大であり、しかもこの横の伸び率は、前記主要部の横の伸び率と実質的に同一であること、
前記胸骨側部及骨格支持帯の編組織が縦の伸び率より横の伸び率が大であり、この横の伸び率は、前記主要部、前記胸骨側部及骨格支持帯の横の伸び率より大であること、並びに
いずれの編組織もＪＩＳ  Ｌ  １０１８  Ｂ法の弾性回復率が縦横共に８０％以上であることを特徴とする矯正下着。
【請求項２】
前記上衣に袖が取付けられており、この袖本体が、前記主要部と同一編組織からなり、かつ袖口にゴム編様の縁取りが形成されている請求項１の矯正下着。
【請求項３】
前記下着の下衣が、パンツ型で、前面中央上方部に菱形の上端を切り欠いた形状の腹部、後面の臀部の下方を持ち上げるように位置する実質的に扁平Ｗ字型のテープ状部、前面両脇部から前記テープ状部の脇部上方に位置し臀部側面を覆う幅２〜６ｃｍの変形テープ状の側部、後面中央上方部の臀部上方を覆う逆三角形状の後部中央−この後部中央の下端は前記テープ状部の中央と繋がっている−、後面両脇から臀部を覆う臀部部材、及び股部の襠部材、その他の下衣主要部、並びに下衣の腰と裾に位置する縁取部からなるものであり、
前記腹部及び前記テープ状部が、前記帯状部及び山形部と実質的に同一の編組織からなり、
前記側部及び前記後部中央が、前記胸骨側部及び骨格支持帯と実質的に同一の編組織からなり、
前記臀部部材が、他の部分より薄い編組織で縦横共に２００％以上の伸び率を有するものであること、及び
前記縁取部がゴム編み状の組織からなることを特徴とする請求項１又は２の矯正下着。
【請求項４】
前記下衣の腰部が弾性ある筒状帯で覆われるようになっている請求項３の矯正下着。
【請求項５】
前記筒状帯が、前記下衣の後面中央で前記下衣に取付けられている請求項４の矯正下着。
【発明の詳細な説明】
【技術分野】
【０００１】
本発明は、骨格補正サポーターとして機能する矯正下着に関するものである。
【背景技術】
【０００２】
サポーターは、肌に直接つけて患部を保護し、包むことで、痛みを軽減するもので、筋肉の代わりをし、行動をアシストするだけでなく、骨格や姿勢を矯正し、身体のひずみを矯正するなどの機能を有するものである。しかし、従来のサポーターは、装着する部位が限られており、特に上半身と下半身を総合的に補正する目的のものではなかった。また、サポーターを編地のみで構成するということもなかった。
【０００３】
最近では伸縮の大きい編地のインナーウエアを身体にフィットさせて着用し、ボディラインを美しくみせたり、生地の凹凸によりマッサージ効果を得るなどの試みもなされている（特許文献１〜３参照）。
【特許文献１】特開平１１−１５８７０４号公報
【特許文献２】特開２００４−１０００５４号公報
【特許文献３】特開２００３−２２１７６６号公報
【発明の開示】
【発明が解決しようとする課題】
【０００４】
このように従来の製品は、インナーウエアとしての補正効果を狙ったもの、編み方による圧力の変化をもって血行を促進させるもの、またファッション性を無視し、別素材をもって、骨格補正を狙ったもの、カットソーにより、ボディラインや骨格の補正を目的としたものがあるが、ファッション性を損なわぬように編地素材で、構成されたサポーターで、上半身の胸骨全面側部から、骨盤上部、下半身の骨盤までをトータル的に補正する目的で開発された製品は存在しなかった。そこで、本発明は、ファッション性に優れ、外着に目立たず、均等に生地圧力を分散させながら、目的別に構成された編地により、一体構成された、ボディラインとともに骨格の補正をも実現する骨格補正サポーターとして機能する矯正下着を提供することを課題とする。
【課題を解決するための手段】
【０００５】
本発明は、全体に縦横共に伸縮性に富んだ編地からなる下着であって、上衣本体の胴部本体を異なる編組織を組み合わせて一体に構成されたものとすることによって、上記課題を解決した。
即ち、本発明の上衣は、胴部本体が
Ａ）前見頃の襟ぐりの下方に沿って、両脇まで横方向に広がる幅２．５〜６ｃｍの帯状部、
Ｂ）両脇下方に位置する幅７〜１０ｃｍで高さ９〜１３ｃｍの山形部、
Ｃ）前記帯状部の上方、前見頃の襟ぐりの両横に位置し、肩まで延びる上胸部、
Ｄ）後見頃両肩から前記山形部の上方に向けてクロス状に延びる幅２〜６ｃｍのテープ状の骨格支持帯、
Ｅ）前記帯状部、山形部、胸骨側部及び骨格支持帯以外の胴部本体を構成する主要部、
に分かれて、異なる組織で編まれており、かつ
Ｆ）裾にゴム編様の縁取りが形成されていること、及び
前記主要部の編組織Ｚが縦の伸び率が横の伸び率の２倍以上であり、
前記帯状部と山形部の編組織Ａが縦より横の伸び率が大であり、しかもこの横の伸び率は、前記主要部の横の伸び率と実質的に同一であること、
前記胸骨側部及び骨格支持帯の編組織Ｙが縦の伸び率より横の伸び率が大であり、この横の伸び率は、前記主要部、前記胸骨側部及び骨格支持帯の横の伸び率より大であること、並びにいずれの編組織もＪＩＳ  Ｌ  １０１８  Ｂ法の弾性回復率が縦横共に８０％以上であることを特徴とするものである。
【０００６】
本発明の上衣には、袖が取付けられてもよい。この場合、この袖本体は前記主要部と同一編組織からなるものとし、かつ袖口にゴム編様の縁取りを形成するのが好ましい。
【０００７】
更に、本発明の上衣は、袖のないタンクトップ型やキャミソール型に形成されてもよく、又、前記帯状部の上にバストカップを取付けた、バストカップ一体型としてもよい。
【０００８】
次に、本発明の矯正下着は、上記上衣と共に下記の下衣を組み合わせて使用することにより、ファッション性よく、ボディライン及び骨格の補正サポーターとして非常に効果的に作用するものとすることができる。
【０００９】
下衣は、パンツ型（ショーツ型やロングガードル型であってもよい）で、前面中央上方部に菱形の上端を切り欠いた形状の腹部、後面の臀部の下方を持ち上げるように位置する実質的に扁平Ｗ字型のテープ状部、前面両脇部から前記テープ状部の脇部上方に位置し臀部側面を覆う幅２〜６ｃｍの変形テープ状側部、後面中央上方部の臀部上方を覆う逆三角形状の後部中央−この後部中央の下端は前記テープ状部の中央と繋がっている−、後面両脇から臀部を覆う臀部部材、及び股部の襠部材、その他の下衣主要部、並びに下衣の腰と裾に位置する縁取部からなるものであり、
前記腹部及び前記テープ状部が、上衣の帯状部及び山形部と実質的に同一の編組織Ｘからなり、
前記変形テープ状の側部及び前記後部中央が、上衣の前記胸骨側部及び骨格支持帯と実質的に同一の編組織Ｙからなり、
前記臀部部材が、他の部分より薄い編組織で縦横共に２００％以上の伸び率を有するものであること、及び
前記縁取部がゴム編み状の組織からなることを特徴とするものである。
【００１０】
更に、下衣は、その腰部を弾性ある筒状帯１５で覆われるようにするのが好ましい。筒状体は、下衣の後面中央に逢着し、下衣と共に装着できるようにするのが好ましい。
【発明の効果】
【００１１】
本発明の下着は、機能的に異なる編組織を組み合わせて、上衣本体及び下衣本体がそれぞれ一体に編み上げられた編地からなるものとすることにより、所望の目的を達成するものであり、上衣が胸骨側部に連なるテープ状の骨格支持帯が肩の骨格（鎖骨、肩甲骨、上腕骨の間接部）、肩甲骨、背骨、骨盤上部を補正して、普段の生活姿勢や重力、筋力低下などで発生した上半身を中心とした骨格の歪みを正し、また、前述の下衣を共に装着することにより、骨盤側面の変形テープ状の側部が上衣の骨格支持帯等のテーピング効果を、下半身に承継し、上半身の骨格と下半身の骨盤までを一体補正するものとなる。
かかる本発明の下着は、全体に同素材からなる編地からなるものとすることにより、従来非常に困難であった骨盤部の集中補正をファッション性を損なわず達成し、テーピング理論を用いて構成した編地により、胸骨側面から肩、肩甲骨、背骨、骨盤上部までを一体補正する目的を達成するのである。
【発明を実施するための最良の形態】
【００１２】
次に、本発明を図面に示す実施例に従って説明する。
この例では、上衣は図１に示されるように、前見頃の襟ぐりの下方に沿って、両脇まで横方向に広がる幅２．５〜５ｃｍの帯状部１と、両脇下方に位置する幅８．５ｃｍで高１２ｃｍの山形部２を、弾性に富んだ密な編組織Ｘからなるものとし、前記帯状部１の上方、前見頃の襟ぐりの両横に位置し、肩まで延びる胸骨側部３と、後見頃両肩から前記山形部２の上方に向けてクロス状に延びる幅３．５ｃｍのテープ状の骨格支持帯４を横方向に伸び易い編組織Ｙ（リブ編）とし、前記帯状部１、山形部２、胸骨側部３及骨格支持帯４以外の胴部本体を構成する主要部５は、ブロック状の凹凸を有する縦方向に伸びやすい編組織Ｚとした。
【００１３】
なお、袖本体は、胴部本体を構成する主要部５と同様の編組織Ｚとし、袖口と胴部本体の裾はゴム編組織とした。
【００１４】
次に、下衣は、図２に示す如く、パンツ型で、前面中央上方部に菱形の上端を切り欠いた形状の腹部７、後面の臀部の下方を持ち上げるように位置する実質的に扁平Ｗ字型のテープ状部８、前面両脇部から前記テープ状部８の脇部上方に位置し臀部側面を覆う幅２〜６ｃｍの変形テープ状側部９、後面中央上方部の臀部上方を覆う逆三角形状の後部中央１０−この後部中央１０の下端は前記テープ状部８の中央と繋がっている−、後面両脇から臀部を覆う臀部部材１１、及び股部の襠部材１２、その他の下衣主要部１３、並びに下衣の腰と裾に位置する縁取部１４からなるものであり、
前記腹部７及び前記テープ状部８が、上衣の帯状部１及び山形部２と実質的に同一の編組織Ｘからなり、
前記変形テープ状の側部９及び前記後部中央１０が、上衣の前記胸骨側部３及び骨格支持帯４と実質的に同一の編組織Ｙからなり、
前記臀部部材が、他の部分より薄い編組織で縦横共に２５０％以上の伸び率を有するものとした。なお、腰部及び裾の縁取部１４は、ゴム編組織となっている。
【００１５】
更に、下衣は、図３に示す如く、その腰部を弾性ある筒状帯１５で覆われるようにするのが好ましい。
【００１６】
前記編組織Ｘ、Ｙ、Ｚと筒状帯１５の伸び率と伸長弾性率は表１に示す通りである。
これら伸び率は及び伸長弾性率は共に、ＪＩＳ  Ｌ  １０１８  カットストリップ法−試験片幅２．５ｃｍ：つかみ間隔１０ｃｍ：初荷重２９ｍＮ：一定荷重４．９０Ｎ−で測定した。
［表１］
編組織  （部位）                          伸び率（％）      伸長弾性率（％）
.                                        縦      横           縦      横
Ｘ （上衣：帯状部１と山形部２）         90.6     107.1          98.9     95.8
.   （下衣：腹部７とテープ状部８）
Ｙ （上衣：胸骨側部３と骨格支持帯４）  102.7     146.1          90.3     94.9
.   （下衣：側部９と後部中央１０）
Ｚ （上衣：主要部５）                  245.5     107.4          85.2     96.8
.   （下衣：主要部１３）
筒状帯１５                              77.9     103           90.1     93.7
【００１７】
上衣の帯状部１（着用時にはバスト下に位置する）と山形部２（着用時には脇腹に位置する）、並びに下衣の腹部７（着用時には下腹を覆う）とテープ状部８（着用時には臀部の下方を支持する）は、ボディラインで最も気になる箇所に相当するものであり、これらに、縦方向の伸び率が若干低い厚手の弾力性に富んだ編組織Ｘを使用し、ボディラインを補正する。これらの部位は、脂肪の重みや反作用が強い箇所であるので、編地を厚くして集中的にボディラインを補正できるようにしているのである。
【００１８】
次に、帯状部１の上方、前見頃の襟ぐりの両横に位置し、肩まで延びる胸骨側部３と、後見頃両肩から山形部２の上方に向けてクロス状に延びる幅３．５ｃｍのテープ状の骨格支持帯４、並びに下衣の側部９と後部中央１０を、横方向に伸び易い編組織Ｙ（テープ状のリブ編）とした。これは、全身の骨格補正を目的とした本発明の製品において、胸骨側部から始まり、肩部を経由して肩甲骨・背骨側部を補正して骨盤上部までを廣く支持するためのもので、テーピングの目的に即した力で、骨格の補正に際して、縦方向への補正を実現するものである。この編組織により、骨格の補正に際して、縦方向への補正目的を実現し、また、下衣においても骨盤側部（側部９）及び仙骨部分（後部中央１０）に採用することにより、上半身におけるテーピング効果を継続した下半身の骨格へ連動させる目的を果たしている。
【００１９】
更に、帯状部１、山形部２、胸骨側部３及骨格支持帯４以外の胴部本体を構成する主要部５の編組織Ｚは、縦方向の伸びが著しく、しかも横方向に適度の伸び率（隣接する編組織Ｘの横方向の伸び率と実質的に同一の伸び率）を有するため、全身の骨格を補正し、同時に、スタイル補正をする際、長時間の着用でも苦痛にならないように、圧力を分散しながら、身体をサポートする効果がある。また、本実施例では、編組織Ｚは、煉瓦ブロックを連続させたような凸部と、円状の凹部を連続させた凹凸模様のように構成され、身体の動きにあわせて縦横に伸縮して常に均一な身体への刺激作用をもつようになっている。
【００２０】
上衣の袖本体及び下衣の主要部１３も、上衣の主要部５と同様の編組織Ｚからなるものとした。その結果、上腕部、体幹部、太股部など、骨格補正に直接作用しない箇所でボディラインの気になる部分をソフトな感覚で弾性よく補正する効果がある。
【００２１】
なお、袖口や裾などの縁取部の編組織は、通常のニット衣料に使用されるゴム編組織でよく、いずれにしても、本発明では、上衣本体及び下衣本体をそれぞれ、異なる編組織を組み合わせて成る一の編地で形成しているため、着心地よく、安定してボディラインと骨格の補正を実現する下着として、非常に実用性あるものとなる。
【００２２】
更に、本発明では、下衣の腰部を、弾性ある筒状帯１５で覆われるようにすることにより、この筒状帯１５が骨盤補正帯として作用させることができる。この筒状帯１５は、そのため、着用時に外衣に影響を与えないように、適度の薄さと圧力（弾性）を有する編組織からなるものとする。即ち、身体の動きにあわせて動く下衣本体の動きによって皺に成らず、安定して骨格をサポートするように、表裏共に摩擦を抑え皺になりにくい編組織（
表裏に細かな凹凸を有するもの）とするのがよい。なお、この例では、筒状帯１５は下衣装着時に常に一体して着用できるように、後部中央に逢着１６されている。
【図面の簡単な説明】
【００２３】
【図１】図１は、本発明の一例における上衣を示すものであって、Ａは正面図、Ｂは背面図である。
【図２】図２は、本発明の一例における下衣を示すものであって、Ａは正面図、Ｂは背面図である。
【図３】図３は、図２の下衣に筒状帯を装着した状態を示すものであって、Ａは正面図、Ｂは背面図である。
【符号の説明】
【００２４】
１    帯状部
２    山形部
３    胸骨側部
４    骨格支持帯
５    主要部
６    縁取り
７    腹部
８    テープ状部
９    側部
１０  後部中央
１１  臀部部材
１２  襠部材
１３  主要部
１４  縁取り部
１５  筒状帯
１６  逢着
【図１】
2006037255.tif 000003
【図２】
2006037255.tif 000004
【図３】
2006037255.tif 000005